(57)【要約】【課題】室内に日光が入射することを十分に抑制しながら、すべり出し窓の開閉動作を妨げることがなく、しかも、すべり出し窓に対する取り付け作業を室内側から容易に行うことのできる外付けスクリーン装置を提供すること。【解決手段】この外付けスクリーン装置５は、スクリーンＳを巻き取って内部に収納することが可能な収納ボックス５００を、窓用障子３に対して取り付けて固定するための固定手段を有している。【選択図】図３
2014034794.tif 000002
【特許請求の範囲】
【請求項１】
サッシ枠に保持された窓用障子が回転することで開閉するすべり出し窓に対し、室外側に取り付けられる外付けスクリーン装置であって、
前記窓用障子の室外側を覆うシート状のスクリーンと、
前記スクリーンを巻き取って内部に収納することが可能な収納ボックスと、を備えており、
前記収納ボックスは、前記収納ボックスを前記窓用障子に対して取り付けて固定するための固定手段を有していることを特徴とする外付けスクリーン装置。
【請求項２】
前記固定手段は、前記収納ボックスを前記窓用障子の上端部近傍に対して取り付けて固定するものであることを特徴とする、請求項１の外付けスクリーン装置。
【請求項３】
前記固定手段は、窓用障子の上端部に形成された上側リブに対して前記収納ボックスを固定するものであることを特徴とする、請求項２に記載の外付けスクリーン装置。
【請求項４】
前記固定手段は、前記上側リブに掛るように形成されたフックを有することを特徴とする、請求項３に記載の外付けスクリーン装置。
【請求項５】
前記固定手段は、前記フックのうち前記上側リブの内側面に当接する当接部を、前記上側リブに向けて押圧する押圧機構を更に有していることを特徴とする、請求項４に記載の外付けスクリーン装置。
【請求項６】
前記フックは、
水平方向において前記上側リブの外側面と対向する部分である対向部と、
前記当接部と前記対向部とを連結する連結部と、を有し、
前記対向部には、水平方向且つ前記上側リブに向かう方向に貫通する穴であって、その内周面に雌螺子加工が施された雌螺子穴が形成されており、
前記押圧機構は、
外周面に雄螺子加工が施された棒状体であって、前記雌螺子穴に挿通された軸具を有していることを特徴とする、請求項５に記載の外付けスクリーン装置。
【請求項７】
前記収納ボックスは、前記上側リブと対向するように形成された対向壁を有しており、
前記軸具は、前記対向壁に形成された貫通穴にも挿通されていることを特徴とする、請求項６に記載の外付けスクリーン装置。
【請求項８】
前記収納ボックスは、前記軸具の先端が前記上側リブに当たることを防止するよう、前記軸具の先端を受ける保護壁を有していることを特徴とする、請求項６又は請求項７に記載の外付けスクリーン装置。
【請求項９】
前記窓用障子の下端部近傍に取り付けられ、前記スクリーンの下端部を係止することが可能な係止部材を更に備えることを特徴とする、請求項１乃至請求項８のいずれか一項に記載の外付けスクリーン装置。
【請求項１０】
前記窓用障子の左右方向両端部において、前記スクリーンの出退を案内する一対のガイド機構を更に備えることを特徴とする、請求項１乃至請求項８のいずれか一項に記載の外付けスクリーン装置。
【請求項１１】
前記ガイド機構は、その上端が前記収納ボックスに対しボルト締結により固定されていることを特徴とする、請求項１０に記載の外付けスクリーン装置。
【請求項１２】
前記窓用障子の下端部近傍に取り付けられ、前記スクリーンの下端部を係止することが可能な係止部材を更に備え、
前記係止部材は、前記ガイド機構の下端に対し、ボルト締結により固定されていることを特徴とする、請求項１１に記載の外付けスクリーン装置。
【請求項１３】
前記係止部材は、
一対の前記ガイド機構のうち右側に配置される方の下端に対し、ボルト締結により固定される右側係止部材と、
一対の前記ガイド機構のうち左側に配置される方の下端に対し、ボルト締結により固定される左側係止部材と、を有しており、
前記右側係止部材は、前記窓用障子の右側端部に形成された右側リブに対しても固定され、
前記左側係止部材は、前記窓用障子の左側端部に形成された左側リブに対しても固定されることを特徴とする、請求項１２に記載の外付けスクリーン装置。
【請求項１４】
前記ガイド機構には、前記スクリーンの側縁部を収納するための溝が形成されていることを特徴とする、請求項１０乃至請求項１３のいずれか一項に記載の外付けスクリーン装置。
【発明の詳細な説明】
【技術分野】
【０００１】
本発明は、サッシ枠に保持された窓用障子が回転することで開閉するすべり出し窓に対し、室外側に取り付けられる外付けスクリーン装置に関する。
【背景技術】
【０００２】
建物の開口部に設置される窓には、例えば夏季において西日が室内に入射すること等を防止するために、下記特許文献１に記載されているような遮光用のスクリーン装置を取り付けることが望ましい。一方、室内に日光を積極的に取り込みたい場合もあるため、スクリーンを巻き取って収納することのできる収納ボックスを備えたスクリーン装置も知られている。
【０００３】
スクリーン装置は、窓の施工と同時に取り付けるだけでなく、既存の窓に対し後から取り付けることも求められる。このため、既存の窓の室外側に取り付けることが可能な外付けスクリーン装置が普及している。
【０００４】
ところで、外付けスクリーン装置を取り付けることが求められる窓としては、引き違い窓、片開き窓等、様々な形態のものがある。一般的な引き違い窓の場合は、開閉動作に伴って建物の外壁面から室外側に向けて突出するような部分が無いため、窓の可動部分（窓用障子）とスクリーンとが干渉してしまうことがない。
【０００５】
これに対し、サッシ枠に保持された窓用障子が回転することで開閉する、所謂「すべり出し窓」と称される窓は、窓の開閉動作に伴って窓用障子が建物の外壁面から室外側に向けて突出するものである。このため、すべり出し窓の室外側に上記のような外付けスクリーン装置を取り付けた場合には、窓用障子とスクリーンとが干渉してしまうことにより、収納ボックスからスクリーンが引き出された状態においては窓の開閉動作が制限されてしまうこととなる。
【０００６】
このような問題を解決するために、下記特許文献２に記載の外付けスクリーン装置では、すべり出し窓の上部に取り付けられる収納ボックスを、建物の外壁面から室外側に向けて離れた位置に配置している。このような構成とすることにより、スクリーンと窓用障子との距離が大きくなるため、収納ボックスからスクリーンが引き出された状態においても、すべり出し窓の開閉を行うことが可能となっている。
【先行技術文献】
【特許文献】
【０００７】
【特許文献１】特開２００５−２１８５６６号公報
【特許文献２】特開２０１０−３７８７５号公報
【発明の概要】
【発明が解決しようとする課題】
【０００８】
しかしながら、上記特許文献２に記載の外付けスクリーン装置では、スクリーンと窓用障子との距離が大きいため、窓に対して斜めに入射する日光を遮ることができない。すなわち、時間帯によっては多くの日光が室内に入射してしまうため、外付けスクリーン装置の遮光性能を十分に発揮することができないものであった。
【０００９】
また、上記特許文献２に記載の外付けスクリーン装置では、収納ボックスをサッシ枠の外側面（室外側の側面）に対して取り付けている。このように、従来の外付けスクリーン装置においては、収納ボックスはサッシ枠の外側面や建物の外壁面等に取り付けられていた。しかし、すべり出し窓は、一般的な引き違い窓と比較すると、開放状態における窓の開口が小さい。このため、建物の外壁面等に収納ボックスを取り付ける作業を室内側から行うことは非常に困難であり、当該作業は室外側に立って行う必要があった。特に、二階以上の高所にあるすべり出し窓に外付けスクリーン装置を取り付ける場合には、足場を組む必要があった。
【００１０】
本発明はこのような課題に鑑みてなされたものであり、その目的は、室内に日光が入射することを十分に抑制しながら、すべり出し窓の開閉動作を妨げることがなく、しかも、すべり出し窓に対する取り付け作業を室内側から容易に行うことのできる外付けスクリーン装置を提供することにある。
【課題を解決するための手段】
【００１１】
上記課題を解決するために本発明に係る外付けスクリーン装置は、サッシ枠に保持された窓用障子が回転することで開閉するすべり出し窓に対し、室外側に取り付けられる外付けスクリーン装置であって、前記窓用障子の室外側を覆うシート状のスクリーンと、前記スクリーンを巻き取って内部に収納することが可能な収納ボックスと、を備えており、前記収納ボックスは、前記収納ボックスを前記窓用障子に対して取り付けて固定するための固定手段を有していることを特徴としている。
【００１２】
本発明では、スクリーンを巻き取って内部に収納することが可能な収納ボックスを、窓用障子に対して取り付けて固定するための固定手段を有している。このような構成により、収納ボックスはすべり出し窓の可動部分である窓用障子に対して取り付けられ、固定される。
【００１３】
その結果、すべり出し窓の開閉動作を行っても、窓用障子と収納ボックス（及び、これに収納されたスクリーン）との相対位置が変わらないため、窓用障子とスクリーンとが干渉することがない。すなわち、窓用障子の近くにスクリーンを配置することで日光の大部分を常に遮断する構成としながらも、すべり出し窓の開閉動作を外付けスクリーン装置が妨げてしまうことがない。
【００１４】
また、すべり出し窓を開放した状態においては、（サッシ枠の外側面や建物の外壁面等にアクセスすることに比べて）窓用障子の外側面（室外側の側面）に室内側からアクセスすることは比較的容易である。このため、窓用障子に外付けスクリーン装置を取り付ける作業を、室内側からも容易に行うことができる。
【００１５】
また本発明に係る外付けスクリーン装置では、前記固定手段は、前記収納ボックスを前記窓用障子の上端部近傍に対して取り付けて固定するものであることも好ましい。
【００１６】
この好ましい態様では、固定手段は、収納ボックスを窓用障子の上端部近傍に対して取り付けて固定するものである。従って、収納ボックスは窓用障子の外側面のうち、上端部近傍に対して取り付けて固定される。このような構成により、スクリーンは窓用障子の上端部近傍に収納され、上方から下方に向けて引き出されることによって窓用障子の略全体を覆うこととなる。従って、スクリーンを収納ボックスから引き出すための操作等を、室内側から更に容易に行うことが可能となる。
【００１７】
また本発明に係る外付けスクリーン装置では、前記固定手段は、窓用障子の上端部に形成された上側リブに対して前記収納ボックスを固定するものであることも好ましい。
【００１８】
すべり出し窓の窓用障子には、窓用障子とサッシ枠との間に形成される隙間を室外側から塞ぐために、上下左右の四方に向けて突出する板状のリブが一般的に形成されている。この好ましい態様では、固定手段は、窓用障子の上端部に形成された上側リブに対して収納ボックスを固定するものである。すなわち、収納ボックスは、窓用障子に形成されたリブのうち上側リブに対して固定される。換言すれば、すべり出し窓の窓用障子において既に形成されている上側リブを、収納ボックスを窓用障子に固定するための機構の一部として利用している。このような構成により、収納ボックスを取り付けるための特殊な機構等を窓用障子が備える必要がないため、すべり出し窓に対して外付けスクリーン装置を取り付けるための構成を簡便なものとすることができる。
【００１９】
また本発明に係る外付けスクリーン装置では、前記固定手段は、前記上側リブに掛るように形成されたフックを有することも好ましい。
【００２０】
この好ましい態様では、窓用障子の上側リブにフックを掛けることで、窓用障子に対して収納ボックスが取り付けられる。このため、室内側から外付けスクリーン装置を取り付けることがさらに容易となる。
【００２１】
また本発明に係る外付けスクリーン装置では、前記固定手段は、前記フックのうち前記上側リブの内側面に当接する当接部を、前記上側リブに向けて押圧する押圧機構を更に有していることも好ましい。
【００２２】
この好ましい態様では、窓用障子の上側リブに掛けられたフックが、押圧機構によって上側リブの内側面（室内側の側面）に対して押圧された状態となる。その結果、フックが上側リブから外れてしまうことが防止され、収納ボックスが窓用障子に強固に取り付けられた状態を長期間に渡って維持することができる。
【００２３】
また本発明に係る外付けスクリーン装置では、前記フックは、水平方向において前記上側リブの外側面と対向する部分である対向部と、前記当接部と前記対向部とを連結する連結部と、を有し、前記対向部には、水平方向且つ前記上側リブに向かう方向に貫通する穴であって、その内周面に雌螺子加工が施された雌螺子穴が形成されており、前記押圧機構は、外周面に雄螺子加工が施された棒状体であって、前記雌螺子穴に挿通された軸具を有していることも好ましい。
【００２４】
この好ましい態様では、フックは、上側リブの内側面に当接する当接部と、上側リブの外側面（室外側の側面）と対向する部分である対向部と、これら当接部と対向部とを連結する連結部とを有している。すなわち、上側リブを挟むように当接部と対向部とが配置されており、上側リブを上方から跨ぐように連結部が配置されている。
【００２５】
対向部には、水平方向且つ上側リブに向かう方向に貫通する穴であって、その内周面に雌螺子加工が施された雌螺子穴が形成されている。また、当該雌螺子穴には、外周面に雄螺子加工が施された棒状体である軸具が挿通されており、雌螺子穴の内周と軸具の外周とが螺合した状態となっている。
【００２６】
このような構成により、軸具をその中心軸回りに回転させることでフックの当接部が上側リブの内側面に対し押圧されることとなる。すなわち、軸具が押圧機構の一部として機能する。このように、窓用障子の上側リブにフックを掛けた状態で軸具を回転させるという簡便な作業により、収納ボックスを窓用障子に対し固定することが可能となる。また、窓用障子の上側リブの厚さは、製品メーカや製品の仕様によって異なることが考えられるが、上記構成はフックの当接部の出入りを軸具の長さ方向に調整することができるため、このような上側リブの厚さの違いにも容易に対応することができ、ひいては複数種の窓用障子に取り付けることができるものとなる。
【００２７】
また本発明に係る外付けスクリーン装置では、前記収納ボックスは、前記上側リブと対向するように形成された対向壁を有しており、前記軸具は、前記対向壁に形成された貫通穴にも挿通されていることも好ましい。
【００２８】
この好ましい態様では、収納ボックスは、上側リブと対向するように形成された対向壁を有しており、軸具は、フックの対向部に形成された雌螺子穴だけでなく、対向壁に形成された貫通穴にも挿通されている。このような構成により、押圧機構の一部である軸具を、フックから収納ボックスが脱落することを防止するものとしても利用している。その結果、固定手段の構成を複雑化させることなく、フックから収納ボックスが脱落してしまうことを確実に防止することができる。
【００２９】
また本発明に係る外付けスクリーン装置では、前記収納ボックスは、前記軸具の先端が前記上側リブに当たることを防止するよう、前記軸具の先端を受ける保護壁を有していることも好ましい。
【００３０】
フックを上側リブに向けて押圧するために軸具を回転させると、軸具の先端は上側リブに近づくため、軸具が当たり上側リブが傷ついてしまう可能性がある。この好ましい態様では、収納ボックスが軸具の先端を受ける保護壁を有しているため、上側リブに軸具が当たり傷つけてしまうことを防止することができる。
【００３１】
また本発明に係る外付けスクリーン装置では、前記窓用障子の下端部近傍に取り付けられ、前記スクリーンの下端部を係止することが可能な係止部材を更に備えることも好ましい。
【００３２】
この好ましい態様では、窓用障子の下端部近傍に取り付けられ、スクリーンの下端部を係止することが可能な係止部材を更に備える。このような構成により、スクリーンの下端部を係止部材に係止させることで、スクリーンが窓用障子を覆った状態を維持することができる。例えば、スクリーンが強風を受けたような場合であっても、スクリーンがばたついてスクリーンと窓用障子との間に隙間が形成されてしまうことが抑制されるため、スクリーンが日光を遮った状態が維持される。
【００３３】
また本発明に係る外付けスクリーン装置では、前記窓用障子の左右方向両端部において、前記スクリーンの出退を案内する一対のガイド機構を更に備えることも好ましい。
【００３４】
収納ボックスからスクリーンを下方に向けて引き出す作業を室内側から行う場合、当該作業は、すべり出し窓を開放した状態、すなわち、窓用障子が建物の内壁面に対し平行でない状態の下で行われる。換言すれば、室内側の作業者が、窓用障子の外側面に対して正対しない状態（外側面の法線方向に沿って窓用障子と向かい合っていない状態）で行われる。その結果、スクリーンを下方に向けて引き出す際において、スクリーンに対して作業者が加える力は鉛直下方に向かわず、鉛直下方からずれた方向に向かう可能性がある。スクリーンが鉛直下方からずれた方向に向かって引き出されると、収納ボックス内におけるスクリーンの巻き取りにずれが生じ、スムーズな引き出しが妨げられてしまう場合がある。
【００３５】
この好ましい態様では、窓用障子の左右方向両端部において、スクリーンの出退を案内する一対のガイド機構を更に備える。スクリーンを引き出したり、収納ボックスに収納したりする際、スクリーンの下端における左右方向両端部のそれぞれがガイド機構によって案内される。このため、鉛直下方からずれた方向に向けてスクリーンが引き出されることが抑制され、スクリーンの巻き取りにずれが生じてしまうことを防止することができる。
【００３６】
また本発明に係る外付けスクリーン装置では、前記ガイド機構は、その上端が前記収納ボックスに対しボルト締結により固定されていることも好ましい。
【００３７】
ガイド機構は、窓用障子の左右方向両端部にそれぞれ取り付けられる。このため、ガイド機構を取り付ける作業を室内側から行うことが困難な場合がある。例えば、窓用障子の回転軸が鉛直方向に沿う縦すべり出し窓の場合、開放状態においては一方のガイド機構が作業者から遠くなってしまうため、当該ガイド機構を取り付ける作業が困難なものとなる。
【００３８】
この好ましい態様では、ガイド機構は、その上端が収納ボックスに対しボルト締結により固定されている。このような構成により、予めガイド機構の上端を収納ボックスに対しボルト締結により固定しておき、その状態で収納ボックスを窓用障子に取り付けることができる。このような手順により、窓用障子の左右方向両端部にガイド機構を取り付ける作業を、室内側から容易に行うことができる。
【００３９】
また本発明に係る外付けスクリーン装置では、前記窓用障子の下端部近傍に取り付けられ、前記スクリーンの下端部を係止することが可能な係止部材を更に備え、前記係止部材は、前記ガイド機構の下端に対し、ボルト締結により固定されていることも好ましい。
【００４０】
この好ましい態様では、窓用障子の下端部近傍に取り付けられ、スクリーンの下端部を係止することが可能な係止部材が、ガイド機構の下端に対しボルト締結により固定されている。このような構成とすることで、係止部材を取り付けるための構成を簡便なものとすることができる。
【００４１】
また、外付けスクリーン装置を窓用障子に対して取り付ける際、予めガイド機構の上端を収納ボックスに対しボルト締結により固定しておき、更に、係止部材をガイド機構の下端に対しボルト締結により固定しておき、その状態で収納ボックスを窓用障子に取り付けることができる。このような手順により、係止部材を窓用障子の下端部近傍に取り付ける作業を、室内側から容易に行うことができる。
【００４２】
また本発明に係る外付けスクリーン装置では、前記係止部材は、一対の前記ガイド機構のうち右側に配置される方の下端に対し、ボルト締結により固定される右側係止部材と、一対の前記ガイド機構のうち左側に配置される方の下端に対し、ボルト締結により固定される左側係止部材と、を有しており、前記右側係止部材は、前記窓用障子の右側端部に形成された右側リブに対しても固定され、前記左側係止部材は、前記窓用障子の左側端部に形成された左側リブに対しても固定されることも好ましい。
【００４３】
この好ましい態様では、係止部材は、右側係止部材と左側係止部材を有している。右側係止部材は、一対のガイド機構のうち右側に配置される方の下端に対し、ボルト締結により固定されるものである。左側係止部材は、一対のガイド機構のうち左側に配置される方の下端に対し、ボルト締結により固定されるものである。右側係止部材は、ガイド機構の下端に対してだけでなく、窓用障子の右側端部に形成された右側リブに対しても固定される。左側係止部材は、ガイド機構の下端に対してだけでなく、窓用障子の左側端部に形成された左側リブに対しても固定される。
【００４４】
係止部材が、右側係止部材と左側係止部材を有しているため（係止部材がこれら二部品に分かれているため）、係止部材を窓用障子の下端部全体に渡るような形状とする場合に比べて、係止部材をコンパクトなものとすることができる。
【００４５】
また、右側係止部材、左側係止部材はそれぞれ右側リブ、左側リブに対して固定されるため、例えばこれらが窓用障子の下側端部に形成された下側リブに対して固定されるような場合と比べて、右側係止部材と左側係止部材との距離の調整を容易に行うことが可能となる。
【００４６】
また本発明に係る外付けスクリーン装置では、前記ガイド機構には、前記スクリーンの側縁部を収納するための溝が形成されていることも好ましい。
【００４７】
この好ましい態様では、ガイド機構には、スクリーンの側縁部を収納するための溝が形成されている。スクリーンは、ガイド機構によって一部（例えば、下方側の端部）が案内されるだけでなく、収納ボックスから引き出された部分における側縁部の全体がガイド機構の溝に収納された状態となる。
【００４８】
このような構成により、スクリーンの側縁部と窓用障子との間に風が吹き込むことが防止されるため、スクリーンのばたつきが抑制され、スクリーンが日光を遮った状態が維持される。また、強風時にスクリーンの係止部材への係止が解除される場合であっても、当該スクリーンはガイド機構の溝部に案内されて収納ボックスに収容されることとなり、当該スクリーンが窓用障子やサッシに衝突してこれらを損傷させてしまう虞はない。
【発明の効果】
【００４９】
本発明によれば、室内に日光が入射することを十分に抑制しながら、すべり出し窓の開閉動作を妨げることがなく、しかも、すべり出し窓に対する取り付け作業を室内側から容易に行うことのできる外付けスクリーン装置を提供することができる。
【図面の簡単な説明】
【００５０】
【図１】本発明に係る外付けスクリーン装置が取り付けられる、すべり出し窓の一例を斜視図で示したものである。
【図２】図１に示したすべり出し窓が閉じた状態を示す断面図である。
【図３】図１に示したすべり出し窓に対し、本発明の一実施形態に係る外付けスクリーン装置を取り付けた状態を模式的に示した断面図である。
【図４】図１に示したすべり出し窓に対し、本実施形態に係る外付けスクリーン装置を取り付けた状態の一部を示した斜視図である。
【図５】本実施形態に係る外付けスクリーン装置の構成の一部を説明するための組立図である。
【図６】本実施形態に係る外付けスクリーン装置を窓用障子に取り付けるための構成を説明するための模式図である。
【図７】本実施形態に係る外付けスクリーン装置のスクリーンが、ガイド機構によってガイドされた状態を説明するための模式図である。
【図８】本実施形態に係る外付けスクリーン装置の構成の一部を説明するための組立図である。
【図９】図８におけるＡ−Ａ断面を示す断面図である。
【図１０】本実施形態に係る外付けスクリーン装置を窓用障子に取り付ける手順を説明するための図である。
【発明を実施するための形態】
【００５１】
以下、添付図面を参照しながら本発明の実施の形態について説明する。説明の理解を容易にするため、各図面において同一の構成要素に対しては可能な限り同一の符号を付して、重複する説明は省略する。
【００５２】
本実施形態に係る外付けスクリーン装置は、すべり出し窓に対して室外側に取り付けられるものである。従って、まず、取り付けの対象であるすべり出し窓の一般的な構成について、図１及び図２を参照しながら説明する。図１はすべり出し窓の一例を斜視図で示したものであり、図２は、図１に示したすべり出し窓が閉じた状態を示す断面図である。
【００５３】
尚、以下の説明においては、特に断らない限り「上」とは鉛直上方のことを示し、「下」とは鉛直下方のことを示す。また、「右」とは室内側から外付けスクリーン装置に向かった状態における右側のことを示し、「左」とは室内側から外付けスクリーン装置に向かった状態における左側のことを示す。
【００５４】
図１及び図２に示したように、すべり出し窓１は、サッシ枠２と窓用障子３を有している。サッシ枠２は、建物の壁Ｗに形成された開口部ＯＰの縁に取り付けられる矩形の枠体であって、窓用障子３を保持するものである。窓用障子３は、開閉動作することによって、建物の室外と室内とが連通した状態と、遮断された状態とを切り換えるものである。窓用障子３は、中央に矩形のガラス板３０を保持しており、ガラス板３０を通じて室外から室内に日光を取り込むことが可能となっている。ガラス板３０は、その上下左右を囲むように配置された障子ベース３１によって保持されており、ガラス板３０と障子ベース３１とが一体となって窓用障子３を構成している。
【００５５】
すべり出し窓１は、窓用障子３が回転軸の周りに回転することにより開閉するものであって、回転に伴って回転軸も移動するものである。図１及び図２に示したすべり出し窓１は、窓用障子３の回転軸が鉛直方向に沿う「縦すべり出し窓」と称されるものである。図１は、窓用障子３が開く途中の段階を示しており、図２は、窓用障子３が閉じている状態を示している。これら及び技術常識からも明らかなように、すべり出し窓１は、窓用障子３が上面視で左回転しながら開くものであり、その回転軸は、窓用障子３が開くことに伴って右方向に移動する。
【００５６】
尚、窓用障子３の室外側の面ＯＳの法線方向のことを、以下の説明では「前方」と称することがある。すなわち、「前方」として示される方向は、面ＯＳに対して相対的に定まる方向であり、窓用障子３の回転状態に伴って変化するものである。また、当該前方とは逆の方向を「後方」と称することがある。
【００５７】
このように、すべり出し窓１は、開閉動作に伴って窓用障子３（特にその右側端部）が建物の外壁面ＷＳから外側に向けて突出するものである。窓用障子３は、このような動作を可能にするための可動機構を介してサッシ枠２に保持されているが、かかる可動機構についてはその図示を省略している。
【００５８】
尚、本発明は、縦すべり出し窓に取り付けられる外付けスクリーン装置への適用に限定されるものではなく、回転軸が水平方向に沿う「横すべり出し窓」にも適用可能なものである。
【００５９】
図２に示したように、サッシ枠２の内周側には、雨水を室外側（図２においては左側）に向けて排出するための水垂れ勾配ＣＬが形成されている。このため、サッシ枠２の内側に形成されている開口は、室外側に向かう程その開口面積が大きくなっている。更に、サッシ枠２と窓用障子３の間には上記の可動機構（不図示）が配置されている。以上のような理由により、サッシ枠２と窓用障子３（障子ベース３１）とは特に室外側近傍において互いに離間しており、両者の間には空間ＳＰが形成されている。
【００６０】
一方、障子ベース３１のうち室内側の面ＳＩは、サッシ枠２の一部と対向しており、当該面ＳＩとサッシ枠２との間には図示しない水密部材が配置されている。水密部材とは、例えばリング状に形成されたゴムである。このような水密部材により、室外から室内に向けた水の侵入が防止されている。換言すれば、障子ベース３１のうち室外側近傍の部分がサッシ枠２と離間していても、室外から室内に水が浸入してしまうことはない。
【００６１】
このような空間ＳＰを室外側から塞ぐことを目的として、障子ベース３１の室外側端部には、窓用障子３の上下左右に向けて突出するリブＲが形成されている。リブＲは、障子ベース３１の上下左右を囲むように連続した板状に形成されている。以下の説明では、そのうち障子ベース３１の上部に形成されている部分を上側リブＲＴ、障子ベース３１の下部に形成されている部分を下側リブＲＢ、障子ベース３１の右部に形成されている部分を右側リブＲＲ、障子ベース３１の左部に形成されている部分を左側リブＲＬと称することがある。
【００６２】
ガラス板３０の室外側の側面、及び障子ベース３１（上側リブＲＴ、下側リブＲＢ、右側リブＲＲ、左側リブＲＬを含む）の室外側の側面は、その全体が同一平面上となっている。
【００６３】
続いて、本実施形態に係る外付けスクリーン装置５の構成について説明する。図３は、すべり出し窓１に対し外付けスクリーン装置５を取り付けた状態を図２と同様の断面図で示したものである。図４は、すべり出し窓１に対し外付けスクリーン装置５を取り付けた状態の一部を示す斜視図である。図４においては、すべり出し窓１のうち窓用障子３以外の部分の図示を省略している。
【００６４】
外付けスクリーン装置５は、スクリーンＳと、収納ボックス５００と、ガイドレール５５０と、係止具５８０とを有している。スクリーンＳは、遮光性を有するシート状のものであって、ガラス板３０の全体を覆うことができるよう矩形に形成されている。スクリーンＳの下端には、スクリーンＳの幅（左右方向に沿った長さ）と略同一の長さに形成された棒状のスクリーンバーＳＢが水平に取り付けられている。スクリーンＳは、窓用障子３を覆う必要のないときには、巻き取り軸ＳＸに巻き取られた状態で収納ボックス５００の内部に収納される。
【００６５】
収納ボックス５００は、窓用障子３の上端部近傍に取り付けられており、内部に巻き取り軸ＳＸを回転可能な状態で保持している。収納ボックス５００は、天板５０１、前板５０２、右板５０３、左板５０４により形成された略直方形状の箱であって、その底部が開放されている。本実施形態では、天板５０１と前板５０２が一体形成されており、右板５０３と左板５０４は天板５０１に対してボルト締結により固定されている。
【００６６】
巻き取り軸ＳＸは、水平且つ窓用障子３の面ＯＳと平行な状態で、収納ボックス５００の内部に保持されている。巻き取り軸ＳＸは、図示しない軸受けを介して一端が右板５０３に保持されており、他端が左板５０４に保持されている。使用者がスクリーンバーＳＢを掴んで下方に引くと、巻き取り軸ＳＸが回転（図３では右回転）することによりスクリーンＳが下方に引き出され、スクリーンＳがガラス板３０を覆った状態となる。尚、図３、図４では、スクリーンＳが下方に引き出される途中の状態を示している。
【００６７】
巻き取り軸ＳＸは、不図示のばねによってスクリーンＳを巻き取る方向（図３では左回転する方向）に向けて常に付勢されている。このため、図３のようにスクリーンＳが引き出されている状態において使用者がスクリーンバーＳＢから手を放すと、当該ばねによって巻き取り軸ＳＸが回転（左回転）し、スクリーンＳは巻き取られて収納ボックス５００内に収納された状態となる。換言すれば、使用者は、ばねの付勢力に抗しながらスクリーンバーＳＢを下方に引くことになる。
【００６８】
ガイドレール５５０は、スクリーンバーＳＢの上下方向の移動、すなわち、スクリーンＳの出退を案内するためのものである。ガイドレール５５０は、窓用障子３の右側端部に取り付けられる右側レール５５０ａと、窓用障子３の左側端部に取り付けられる左側レール５５０ｂとにより構成されている。
【００６９】
右側レール５５０ａは、鉛直方向に沿った細長い略直方形状に形成されており、障子ベース３１の右側端部において、障子ベース３１から室外側に向けて突出するように配置されている。右側レール５５０ａの左側側面（左側レール５５０ｂと対向する側面）には、鉛直方向に沿ったスリットＳＬａが形成されている。スリットＳＬａは、スクリーンバーＳＢの可動範囲全体に渡って形成されている。
【００７０】
左側レール５５０ｂは、鉛直方向に沿った細長い略直方形状に形成されており、障子ベース３１の左側端部において、障子ベース３１から室外側に向けて突出するように配置されている。左側レール５５０ｂの右側側面（右側レール５５０ａと対向する側面）には、鉛直方向に沿ったスリットＳＬｂが形成されている。スリットＳＬｂは、円筒状のスクリーンバーＳＢの可動範囲全体に渡って形成されている。
【００７１】
右側レール５５０ａと左側レール５５０ｂとによってスクリーンバーＳＢがどのように案内されるかを、図７を参照しながら説明する。図７は、スクリーンＳがガイドレール５５０（ガイド機構）によってガイドされた状態を説明するための模式図である。図７に示したように、右側レール５５０ａ及び左側レール５５０ｂはいずれも内部に空間を有しており、当該空間は、それぞれスリットＳＬａ及びスリットＳＬｂを通じて外部空間と連通している。
【００７２】
スクリーンＳが下方に引き出される途中の状態（スクリーンバーＳＢが最下方の係止具５８０に到達する前の状態）においては、スクリーンバーＳＢの右側端部がスリットＳＬａから右側レール５５０ａの内部空間に挿入された状態となっており、スクリーンバーＳＢの左側端部がスリットＳＬｂから左側レール５５０ｂの内部に挿入された状態となっている。スクリーンバーＳＢには、右側レール５５０ａの内部となる部分において拡径部ＳＢ１ａが形成されている。同様に、左側レール５５０ｂの内部となる部分において拡径部ＳＢ１ｂが形成されている。拡径部ＳＢ１ａにおけるスクリーンバーＳＢの直径はスリットＳＬａの幅よりも大きくなっており、拡径部ＳＢ１ｂにおけるスクリーンバーＳＢの直径はスリットＳＬｂの幅よりも大きくなっている。
【００７３】
以上のような構成により、使用者がスクリーンバーＳＢを掴んで下方に引く際、作業者が加える力の方向が鉛直下方からずれた場合であっても、スクリーンバーＳＢは巻き取り軸ＳＸと略平行な状態を常に保ちながら、鉛直下方に向かって移動するように案内される。その結果、収納ボックス５００内におけるスクリーンＳの巻き取りにずれが生じてしまうことが抑制される。
【００７４】
尚、本実施形態においては、右側レール５５０ａの左側側面から左側レール５５０ｂの右側側面までの距離は、スクリーンＳの幅（左右方向に沿った長さ）よりも短くなっている。このため、スクリーンＳのうち収納ボックス５００から引き出された部分における側縁部の全体が、スリットＳＬａ、ＳＬｂの内部に収納された状態となっている。このような構成により、スクリーンＳの側縁部と窓用障子３との間に風が吹き込むことが防止されるため、スクリーンＳのばたつきが抑制され、スクリーンＳが日光を遮った状態が維持される。
【００７５】
係止具５８０は、使用者がスクリーンバーＳＢを下方に引いて手を放した後でも、スクリーンＳがガラス板３０を覆った状態を維持するためのものである。このため、係止具５８０は窓用障子３の下端部近傍、すなわち、スクリーンバーＳＢの可動範囲の下端となる位置に取り付けられている。係止具５８０は、右側レール５５０ａの下端に取り付けられる右側係止具５８０ａと、左側レール５５０ｂの下端に取り付けられる左側係止具５８０ｂとにより構成されている。
【００７６】
右側係止具５８０ａの内部には空間が形成されており、右側係止具５８０ａの左側側面（左側係止具５８０ｂに対抗する側面）において当該空間が外部に連通している。当該空間は、スリットＳＬａの下端と繋がる受け入れ部５８１ａと、受け入れ部５８１ａよりも前方側に形成された空間である保持部５８２ａとを有している。受け入れ部５８１ａと保持部５８２ａとの間には、右側係止具５８０ａの天板５８３ａから下方に向かって延びるように板状の突起部５８４ａが形成されている。突起部５８４ａの下端と右側係止具５８０ａの底板５８５ａとは離間している。
【００７７】
左側係止具５８０ｂの形状は、右側係止具５８０ａと対称な形状となっている。すなわち、左側係止具５８０ｂの内部には空間が形成されており、左側係止具５８０ｂの右側側面（右側係止具５８０ａに対抗する側面）において当該空間が外部に連通している。当該空間は、スリットＳＬｂの下端と繋がる受け入れ部５８１ｂと、受け入れ部５８１ｂよりも前方側に形成された空間である保持部５８２ｂとを有している。受け入れ部５８１ｂと保持部５８２ｂとの間には、左側係止具５８０ｂの天板５８３ｂから下方に向かって延びるように板状の突起部５８４ｂが形成されている。突起部５８４ｂの下端と左側係止具５８０ｂの底板５８５ｂとは離間している。
【００７８】
使用者が、図４に示した状態から更にスクリーンバーＳＢを下方に引くと、スクリーンバーＳＢの右側端部はスリットＳＬａの下端を超え、受け入れ部５８１ａの下端近傍に到達する。その後、使用者がスクリーンバーＳＢを前方側に移動させると、スクリーンバーＳＢの右側端部は突起部５８４ａの下方を通過し、保持部５８２ａの下端近傍に到達する。この状態で使用者がスクリーンバーＳＢから手を放すと、巻き取り軸ＳＸに働く付勢力によって巻き取り軸ＳＸが回転し、スクリーンバーＳＢの右側端部は上昇して天板５８３ａに当たった状態（スクリーンバーＳＢが係止された状態）となる。
【００７９】
スクリーンバーＳＢの左側端部が辿る軌跡については、上記と同様であるため説明を省略する。すなわち、使用者がスクリーンバーＳＢを掴んで上記のような操作を行うことにより、スクリーンバーＳＢの左側端部は、保持部５８２ｂの内部において天板５８３ｂに当たった状態（スクリーンバーＳＢが係止された状態）となる。
【００８０】
このように、保持部５８２ａ及び保持部５８２ｂは、それぞれスクリーンバーＳＢの右側端部及び左側端部を、窓用障子３の下端部近傍において係止することができるものである。上記の説明で明らかなように、その係止位置はスリットＳＬａ及びスリットＳＬｂよりも僅かに前方側にずれた位置となっている。
【００８１】
窓用障子３に対する具体的な固定方法や、そのための構造等については後に詳しく説明するが、外付けスクリーン装置５を構成する全ての要素（収納ボックス５００やガイドレール５５０等）は窓用障子３に対して取り付けられ、固定されている。すなわち、すべり出し窓１の開閉動作を行っても、窓用障子３と外付けスクリーン装置５との相対位置が変わらない構成となっている。このような構成とすることにより、（窓用障子３がどのような回転角度であっても）窓用障子３とスクリーンＳとが干渉することがない。すなわち、図３等に示したように窓用障子３の近くにスクリーンＳを配置することで日光の大部分を常に遮断する構成としながらも、すべり出し窓１の開閉動作を外付けスクリーン装置５が妨げてしまうことがない。
【００８２】
従来の外付けスクリーン装置は、サッシ枠２の外側面や建物の外壁面ＷＳ等（図２に点線で示した位置）に対して収納ボックスが取り付けられていた。このため、特に開放時の開口が小さいすべり出し窓においては、かかる位置に収納ボックスを取り付ける作業を室内側から行うことは困難であった。
【００８３】
これに対し、本実施形態に係る外付けスクリーン装置５の場合、窓用障子３の面ＯＳに対し収納ボックス５００が取り付けられる。すべり出し窓１を開放した状態においては、（サッシ枠２の外側面や建物の外壁面ＷＳ等にアクセスすることに比べて）面ＯＳにアクセスすることは比較的容易であるため、窓用障子３に外付けスクリーン装置５を取り付ける作業を、室内側からも容易に行うことが可能となっている。
【００８４】
続いて、収納ボックス５００を窓用障子３に対して固定するための構造について、図５及び図６を参照しながら説明する。図５は、外付けスクリーン装置５の構成の一部を説明するための組立図であり、収納ボックス５００の構成の一部を示している。図６は、外付けスクリーン装置５を窓用障子３に取り付けるための構成を説明するための模式図であって、収納ボックス５００及び窓用障子３の上部を左側から見た状態を模式的に示したものである。
【００８５】
収納ボックス５００は、天板５０１の上面から上方に向けて突出するように形成された板状の保護壁５０５、及び対向壁５０６を有している。保護壁５０５は、天板５０１のうち室内側（図６においては右側）の端部から上方に向けて突出するように形成されており、障子ベース３１の上側リブＲＴと対向している。対向壁５０６は、保護壁５０５よりも前方側において上方に向けて突出するように形成されている。対向壁５０６は保護壁５０５と平行且つ同一の高さとなっており、障子ベース３１の上側リブＲＴと（保護壁５０５を挟んで）対向している。
【００８６】
保護壁５０５及び上側リブＲＴの上方で、これらの右側端部となる位置には、これらを跨ぐようにフック５１０ａが配置されている。フック５１０ａは、上側リブＲＴの内側面（室内側の側面）に対して当接する当接部５１１ａと、保護壁５０５と対向壁５０６との間に配置された対向部５１２ａと、当接部５１１ａの上端と対向部５１２ａの上端とを連結する連結部５１３ａとを有している。すなわち、フック５１０ａは、側面視で略コの字型となるように形成されており、当接部５１１ａと対向部５１２ａとの間に、保護壁５０５と上側リブＲＴとが配置された状態となっている。対向部５１２ａは、水平方向において上側リブＲＴの外側面（室外側の側面）と対向している。
【００８７】
対向部５１２ａのうち対向壁５０６の上端よりも低い位置には、水平方向且つ上側リブＲＴに向かう方向に貫通するフック穴５１４ａが形成されている。フック穴５１４ａの内周面には、雌螺子加工が施されている。
【００８８】
対向壁５０６のうちフック穴５１４ａと対応する位置（フック穴５１４ａの中心軸上となる位置）には、水平方向且つ上側リブＲＴに向かう方向に貫通する貫通穴５１５ａが形成されている。貫通穴５１５ａはフック穴５１４ａよりも大径の穴であって、その内周面に雌螺子加工は施されていない。また、フック穴５１４ａの中心軸と貫通穴５１５ａの中心軸は略一致している。
【００８９】
フック穴５１４ａ及び貫通穴５１５ａを貫くように、蝶ボルト５２０ａが配置されている。蝶ボルト５２０ａは、外周面に雄螺子加工が施された棒状のシャフト部５２１ａを有しており、このシャフト部５２１ａがフック穴５１４ａ及び貫通穴５１５ａの両方に挿通されている。シャフト部５２１ａの外周面に形成された雄螺子は、フック穴５１４ａの内周面に形成された雌螺子と螺合している。このため、蝶ボルト５２０ａの把持部５２２ａを回転させることにより、フック５１０ａが前方に移動するような力、すなわち、当接部５１１ａを上側リブＲＴに向けて押圧するような力を発生させることが可能となっている。
【００９０】
保護壁５０５及び上側リブＲＴの上方で、これらの左側端部となる位置には、これらを跨ぐようにフック５１０ｂが配置されている。フック５１０ｂの形状及びその近傍における収納ボックス５００等の構成はフック５１０ａの場合と同様であるため、その詳細な説明は省略する。すなわち、フック５１０ｂに形成されたフック穴５１４ｂを貫くように蝶ボルト５２０ｂが配置されており、蝶ボルト５２０ｂの把持部５２２ｂを回転させることにより、フック５１０ｂが前方に移動するような力、すなわち、当接部５１１ｂを上側リブＲＴに向けて押圧するような力を発生させることが可能となっている。
【００９１】
以上のような構成の収納ボックス５００を、窓用障子３に対して固定する手順について説明する。まず、蝶ボルト５２０ａ、５２０ｂを回転させることによって、フック５１０ａ、５１０ｂを後方側に向かって移動させる。すなわち、当接部５１１ａと保護壁５０５との距離、及び当接部５１１ｂと保護壁５０５との距離をいずれも大きくしておく。
【００９２】
その状態で、フック５１０ａ、５１０ｂを上側リブＲＴに掛けて、収納ボックス５００を窓用障子３の上端部に取り付ける。すなわち、当接部５１１ａと保護壁５０５との間、及び当接部５１１ｂと保護壁５０５との間に、上側リブＲＴが下方から挿入された状態とする。
【００９３】
その後、蝶ボルト５２０ａ、５２０ｂを回転させることによって、フック５１０ａ、５１０ｂを前方側に向かって移動させ、当接部５１１ａ、５１１ｂが上側リブＲＴに向けて押圧された状態とする。その結果、フック５１０ａ、５１０ｂが上側リブＲＴから外れてしまうことが防止され、収納ボックス５００が窓用障子３に強固に取り付けられた状態を長期間に渡って維持することが可能となる。
【００９４】
本実施形態では、蝶ボルト５２０ａ、５２０ｂの先端と上側リブＲＴとの間となる位置に、天板５０１の上面から上方に向けて突出する保護壁５０５が形成されている。このため、蝶ボルト５２０ａ、５２０ｂの先端が上側リブＲＴに近づいても、保護壁５０５が受ける（先に保護壁５０５に当たる）こととなる。このため、上側リブＲＴに蝶ボルト５２０ａ、５２０ｂの先端が当たり、上側リブＲＴが傷ついてしまうことを防止している。
【００９５】
また、本実施形態では、上側リブＲＴと対向するように形成された対向壁５０６が、天板５０１の上面から上方に向けて突出するように形成されている。また、シャフト部５２１ａ、５２１ｂは、フック５１０ａ、５１０ｂの対向部５１２ａ、５１２ｂに形成されたフック穴５１４ａ、５１４ｂだけでなく、対向壁５０６に形成された貫通穴５１５ａ、５１５ｂにも挿通されている。すなわち、収納ボックス５００は、貫通穴５１５ａ、５１５ｂに挿通するシャフト部５２１ａ、５２１ｂによって吊り下げられた状態となっている。
【００９６】
換言すれば、蝶ボルト５２０ａ、５２０ｂのシャフト部５２１ａ、５２１ｂを、フック５１０ａ、５１０ｂから収納ボックス５００が脱落することを防止するものとしても利用している。その結果、構成を複雑化させることなく、フック５１０ａ、５１０ｂから収納ボックス５００が脱落してしまうことを確実に防止している。
【００９７】
続いて、係止具５８０を窓用障子３に対して固定するための構造について、図８及び図９を参照しながら説明する。図８は、外付けスクリーン装置５の構成の一部を説明するための組立図であり、右側係止具５８０ａ及びその近傍の構成を示している。図９は、図８におけるＡ−Ａ断面を示す断面図である。尚、以下では、右側係止具５８０ａを窓用障子３に対して固定するための構造についてのみ説明する。左側係止具５８０ｂを窓用障子３に対して固定するための構造については、これと同様であるため説明を省略する。
【００９８】
既に説明したように、右側係止具５８０ａは、スリットＳＬａの下端と繋がる空間である受け入れ部５８１ａと、受け入れ部５８１ａよりも前方側に形成された空間である保持部５８２ａとを有している。
【００９９】
一方、右側係止具５８０ａのうち受け入れ部５８１ａ及び保持部５８２ａよりも下方には、中間壁ＭＷａを介して保持部５８６ａが形成されている。保持部５８６ａは、その上面視における外形については、右側係止具５８０ａのうち中間壁ＭＷａよりも上方の部分と略同一となっている。一方、保持部５８６ａには、左右方向に貫く矩形の貫通穴５８７ａが形成されている。その結果、保持部５８６ａは、最下部であって中間壁ＭＷａと平行に形成された底壁ＢＷａと、前方側端部において中間壁ＭＷａと底壁ＢＷａとを繋ぐように形成された前壁５８８ａと、後方側端部において中間壁ＭＷａと底壁ＢＷａとを繋ぐように形成された後壁５８９ａとにより構成されている。
【０１００】
貫通穴５８７ａには、上面視で略コの字型となるように形成された固定金具５９０ａの一部が挿入されている。固定金具５９０ａは、後壁５８９ａと平行であり後壁５８９ａよりも後方側に配置された当接部５９１ａと、前壁５８８ａと平行であり一部が貫通穴５８７ａの内部に挿入された対向部５９２ａと、当接部５９１ａの右端と対向部５９２ａの右端とを連結する連結部５９３ａとを有している。
【０１０１】
対向部５９２ａのうち左右方向の略中央となる位置には、前後方向に貫通する金具穴５９４ａが形成されている。金具穴５９４ａの内周面には、雌螺子加工が施されている。
【０１０２】
前壁５８８ａのうち金具穴５９４ａと対応する位置（金具穴５９４ａの中心軸上となる位置）には、前後方向に貫通する貫通穴５９５ａが形成されている。貫通穴５９５ａは金具穴５９４ａよりも大径の穴であって、その内周面に雌螺子加工は施されていない。また、金具穴５９４ａの中心軸と貫通穴５９５ａの中心軸は略一致している。
【０１０３】
金具穴５９４ａ及び貫通穴５９５ａを貫くように、蝶ボルト５９６ａが配置されている。蝶ボルト５９６ａは、外周面に雄螺子加工が施された棒状のシャフト部５９７ａを有しており、このシャフト部５９７ａが金具穴５９４ａ及び貫通穴５９５ａの両方に挿通されている。シャフト部５９７ａの外周面に形成された雄螺子は、金具穴５９４ａの内周面に形成された雌螺子と螺合している。このため、蝶ボルト５９６ａの把持部５９８ａを回転させることにより、固定金具５９０ａを前方に移動させるような力を発生させることが可能となっている。
【０１０４】
以上のような構成の右側係止具５８０ａを、窓用障子３に対して固定する手順について説明する。まず、蝶ボルト５９６ａを回転させることによって、固定金具５９０ａを後方側に向かって移動させる。すなわち、当接部５９１ａと後壁５８９ａとの距離を大きくしておく。
【０１０５】
その状態で、固定金具５９０ａを右側リブＲＲに掛けて、右側係止具５８０ａを窓用障子３の右端部に取り付ける。すなわち、当接部５９１ａと後壁５８９ａとの間に、右側リブＲＲが左側から挿入された状態とする。
【０１０６】
その後、蝶ボルト５９６ａを回転させることによって、固定金具５９０ａを前方側に向かって移動させ、当接部５９１ａが右側リブＲＲに向けて押圧された状態とする。その結果、固定金具５９０ａが右側リブＲＲから外れてしまうことが防止され、右側係止具５８０ａが窓用障子３に強固に取り付けられた状態を長期間に渡って維持することが可能となる。
【０１０７】
続いて、外付けスクリーン装置５を構成する各要素同士を互いに接続し固定するための構成について説明する。まず、収納ボックス５００に対してガイドレール５５０（右側レール５５０ａ、左側レール５５０ｂ）を接続し固定するための構成について、図５を再び参照しながら説明する。収納ボックス５００の右板５０３のうち後方側には、下方に向けて突出する突起部５３０ａが形成されている。突起部５３０ａは、右側レール５５０ａの上端に形成された開口に挿入されるものであり、内周部に雌ネジが形成された貫通孔５３１ａが形成されている。
【０１０８】
右側レール５５０ａの上部には、貫通孔５３１ａと同径の貫通孔５５１ａが形成されている。貫通孔５５１ａは、右側レール５５０ａの上端に形成された開口に突起部５３０ａを挿入した状態において、側面視で貫通孔５３１ａと重なる位置に形成されている。このため、右側レール５５０ａの上端に突起部５３０ａを挿入し、貫通孔５３１ａと貫通孔５５１ａにボルトを挿通させ締結することで、収納ボックス５００に対して右側レール５５０ａを固定することができる。このとき、上記ボルトの軸力によって、突起部５３０ａは右側レール５５０ａの内周面に対して圧接された状態となる。尚、収納ボックス５００に対して左側レール５５０ｂを固定する方法については、上記と同様であるため説明を省略する。
【０１０９】
次に、ガイドレール５５０（右側レール５５０ａ、左側レール５５０ｂ）に対して係止具５８０（右側係止具５８０ａ、左側係止具５８０ｂ）を接続し固定するための構成について、図８を再び参照しながら説明する。図８に示したように、右側係止具５８０ａには、天板５８３ａから上方に突出する突起部５９９ａが形成されている。突起部５９９ａは、右側レール５５０ａの下端に形成された開口に挿入されるものであり、その右側側面には貫通孔６００ａが形成されている。突起部５９９ａは、その上方及び左側側面が開口している。このため、スクリーンバーＳＢの右側端部が右側レール５５０ａの内部から受け入れ部５８１ａに移動する際の動きを、突起部５９９ａが妨げないような構成となっている。
【０１１０】
右側レール５５０ａの下部には、貫通孔６００ａと同径の貫通孔５５２ａが形成されている。貫通孔５５２ａは、右側レール５５０ａの下端に形成された開口に突起部５９９ａを挿入した状態において、側面視で貫通孔６００ａと重なる位置に形成されている。このため、右側レール５５０ａの下端に突起部５９９ａを挿入し、貫通孔６００ａと貫通孔５５２ａにボルトを挿通させ締結することで、右側レール５５０ａに対して右側係止具５８０ａを固定することができる。尚、右側レール５５０ａに対して左側係止具５８０ｂを固定する方法については、上記と同様であるため説明を省略する。
【０１１１】
続いて、外付けスクリーン装置５を窓用障子３に室内側から取り付ける一連の手順について、その一例を簡単に説明する。収納ボックス５００を窓用障子３に取り付けるよりも前の段階で、まず、室内において収納ボックス５００に対してガイドレール５５０（右側レール５５０ａ、左側レール５５０ｂ）を取り付け固定する。次に、ガイドレール５５０（右側レール５５０ａ、左側レール５５０ｂ）に対して係止具５８０（右側係止具５８０ａ、左側係止具５８０ｂ）を接続し固定する。この段階においては、図１０に示したように、外付けスクリーン装置５を構成する収納ボックス５００、ガイドレール５５０（右側レール５５０ａ、左側レール５５０ｂ）、係止具５８０（右側係止具５８０ａ、左側係止具５８０ｂ）が互いに接続されており、全体で一体となっている。
【０１１２】
次に、すべり出し窓１の窓用障子３を回転させて開放した状態とし、上記のように一体となった外付けスクリーン装置５を、室内側から窓用障子３の面ＯＳに取り付ける。具体的には、まずフック５１０ａ、５１０ｂを上側リブＲＴに掛けて、蝶ボルト５２０ａ、５２０ｂを回転させることにより、収納ボックス５００を窓用障子３の上部に固定する。
【０１１３】
この状態では、ガイドレール５５０（右側レール５５０ａ、左側レール５５０ｂ）はそれぞれ上端のみが固定されているため、下端にある係止具５８０（右側係止具５８０ａ、左側係止具５８０ｂ）の位置をある程度動かすことが可能となっている。
【０１１４】
その後、固定金具５９０ａを右側リブＲＲに掛けて、右側係止具５８０ａを窓用障子３の右端部に取り付ける。同様に、固定金具５９０ｂを左側リブＲＬに掛けて、左側係止具５８０ｂを窓用障子３の左端部に取り付ける。続いて、蝶ボルト５９６ａを回転させることにより、右側係止具５８０ａを窓用障子３の右側端部に固定する。同様に、蝶ボルト５９６ｂを回転させることにより、左側係止具５８０ｂを窓用障子３の左側端部に固定する。
【０１１５】
上記のような手順によれば、外付けスクリーン装置５を構成する各要素同士を互いに接続する作業を、先に室内側において完了させておくことができる。従って、外付けスクリーン装置５を窓用障子３に室内側から取り付ける作業を容易に行うことができる。
【０１１６】
尚、上記のような手順は一例であって、すべり出し窓１の具体的な形状、外付けスクリーン装置５の重量、及び作業環境等に応じて適宜変更することができる。例えば、収納ボックス５００を窓用障子３に取り付けるよりも前の段階で、まず、室内において右側レール５５０ａ（すべり出し窓１の開放時に、室内から遠くなる方のガイドレール）のみを収納ボックス５００に取り付けたのち、当該収納ボックス５００を窓用障子３に取り付けてもよい。この場合、左側レール５５０ｂは、すべり出し窓１を開放した状態で室内側から容易に取り付けられる。また、収納ボックス５００を窓用障子３に取り付けた後、係止具５８０を取り付けるまでの間は、ガイドレール５５０をサッシ枠２に対して両面テープ等で仮固定してもよい。
【０１１７】
また、すべり出し窓１が比較的小さく、その開放状態においても室内側から全体に手が届くような場合には、室内における事前の組み立てを行うことなく取り付けが可能なのは言うまでもない。この場合、先に収納ボックス５００単体が窓用障子３に取り付けられ、その後、ガイドレール５５０（右側レール５５０ａ、左側レール５５０ｂ）が取り付けられる。
【０１１８】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【０１１９】
１：すべり出し窓
２：サッシ枠
３：窓用障子
５：外付けスクリーン装置
３０：ガラス板
３１：障子ベース
５００：収納ボックス
５０１：天板
５０２：前板
５０３：右板
５０４：左板
５０５：保護壁
５０６：対向壁
５１０ａ，５１０ｂ：フック
５１１ａ，５１１ｂ：当接部
５１２ａ，５１２ｂ：対向部
５１３ａ，５１３ｂ：連結部
５１４ａ，５１４ｂ：フック穴
５１５ａ，５１５ｂ：貫通穴
５２０ａ，５２０ｂ：蝶ボルト
５２１ａ，５２１ｂ：シャフト部
５２２ａ，５２２ｂ：把持部
５３０ａ，５３０ｂ：突起部
５３１ａ，５３１ｂ：貫通孔
５５０：ガイドレール
５５０ａ：右側レール
５５０ｂ：左側レール
５５１ａ，５５１ｂ：貫通孔
５５２ａ，５５２ｂ：貫通孔
５８０：係止具
５８０ａ：右側係止具
５８０ｂ：左側係止具
５８１ａ，５８１ｂ：受け入れ部
５８２ａ，５８２ｂ：保持部
５８３ａ，５８３ｂ：天板
５８４ａ，５８４ｂ：突起部
５８５ａ，５８５ｂ：底板
５８６ａ，５８６ｂ：保持部
５８７ａ，５８７ｂ：貫通穴
５８８ａ，５８８ｂ：前壁
５８９ａ，５８９ｂ：後壁
５９０ａ，５９０ｂ：固定金具
５９１ａ，５９１ｂ：当接部
５９２ａ，５９２ｂ：対向部
５９３ａ，５９３ｂ：連結部
５９４ａ，５９４ｂ：金具穴
５９５ａ，５９５ｂ：貫通穴
５９６ａ，５９６ｂ：蝶ボルト
５９７ａ，５９７ｂ：シャフト部
５９８ａ，５９８ｂ：把持部
５９９ａ，５９９ｂ：突起部
６００ａ，６００ｂ：貫通孔
ＣＬ：水垂れ勾配
ＭＷａ，ＭＷｂ：中間壁
ＢＷａ，ＢＷｂ：底壁
ＯＰ：開口部
ＯＳ：面
Ｒ：リブ
ＲＴ：上側リブ
ＲＢ：下側リブ
ＲＬ：左側リブ
ＲＲ：右側リブ
Ｓ：スクリーン
ＳＢ：スクリーンバー
ＳＢ１ａ，ＳＢ１ｂ：拡径部
ＳＬａ，ＳＬｂ：スリット
ＳＩ：面
ＳＰ：空間
ＳＸ：巻き取り軸
Ｗ：壁
ＷＳ：外壁面
【図１】
2014034794.tif 000003
【図２】
2014034794.tif 000004
【図３】
2014034794.tif 000005
【図４】
2014034794.tif 000006
【図５】
2014034794.tif 000007
【図６】
2014034794.tif 000008
【図７】
2014034794.tif 000009
【図８】
2014034794.tif 000010
【図９】
2014034794.tif 000011
【図１０】
2014034794.tif 000012